(57)【要約】【課題】マンション等のコンクリート建築物のベランダの床面等、コンクリート床面の排水溝等の溝部を施工する場合に、施工が容易かつ確実にできるようにする。【解決手段】コンクリート床面の溝部の施工に使用する支持調整具（Ａ）は、溝部を形成する溝形成用ブロック（Ｂ）を所要位置に固定する載置部材（１）と、載置部材（１）の手摺り施工部（９３）側を支持して高さの調整が可能な前部支持具（２）と、手摺り施工部（９３）と反対側を支持して高さの調整が可能な後部支持具（３）と、載置部材（１）と通り調整具（４）を連結する連結部材（５）と、連結部材（５）を介して載置部材（１）を進退させる通り調整具（４）とを備えており、前部支持具（２）と通り調整具（４）は、床スラブ（９０）に固定する座部材（２０）（４０）を備えている。【選択図】　　　　図５
2004044181.tif 000002
【特許請求の範囲】
【請求項１】
溝部を構成する底面部（６）と側面部（７）を有する溝部形成用コンクリート二次製品（Ｂ）を、溝部が形成される位置に固定し、コンクリート床面を形成するコンクリートを打設して一体化することにより、コンクリート床面の溝部を施工することを特徴とする、
コンクリート床面の溝部の施工方法。
【請求項２】
溝部を構成する底面部（６）と、手摺り施工部（９３）とは反対側に側面部（７）を有する溝部形成用コンクリート二次製品（Ｂ）を、溝部が形成される位置に支持具（Ａ）によって固定し、コンクリート二次製品（Ｂ）に型枠材（９２）を設け、コンクリート床面を形成するコンクリートを打設して一体化し、型枠材（９２）を取り外してコンクリート床面の溝部を施工することを特徴とする、
コンクリート床面の溝部の施工方法。
【請求項３】
コンクリート床面の溝部の施工に使用する支持調整具であって、
溝部を形成する溝部形成用コンクリート二次製品（Ｂ）を載置または固定する手段（１）と、
載置または固定された溝形成用コンクリート二次製品（Ｂ）の高さまたは水平度を調整する手段（２）（３）と、
載置または固定された溝形成用コンクリート二次製品（Ｂ）の直線度を調整する手段（４）（５）と、
を備えていることを特徴とする、
支持調整具。
【請求項４】
コンクリート床面の溝部の施工に使用する支持調整具であって、
溝部を形成する溝形成用コンクリート二次製品（Ｂ）を所要位置に載置または固定する位置決め部（１０）（１２）を有する載置部材（１）と、
載置部材（１）のうち手摺り施工部（９３）側を支持し、載置部材（１）の高さの調整が可能な前部支持具（２）と、
載置部材（１）のうち手摺り施工部（９３）と反対側を支持し、載置部材（１）の高さの調整が可能な後部支持具（３）と、
載置部材（１）と通り調整具（４）を連結する連結部材（５）と、
連結部材（５）を介して載置部材（１）を進退させる通り調整具（４）と、
を備えており、
前部支持具（２）と後部支持具（３）のうち少なくとも一方及び通り調整具（４）は、床スラブ（９０）に固定する手段（２０）（４０）を備えていることを特徴とする、
支持調整具。
【請求項５】
床スラブ（９０）に固定する手段は、所要厚さの座部材（２０）（４０）を有し、座部材（２０）（４０）はコンクリートが固化し床スラブ（９０）を取り外した後、下側から取り外し可能に構成されていることを特徴とする、
請求項４記載の支持調整具。
【請求項６】
コンクリート床面の溝部の施工に使用する溝部形成用コンクリート二次製品であって、
溝部を構成する底面部（６）と底面部（６）の一端側に設けてある側面部（７）を有し、底面部（６）の他端側には、溝部の手摺り施工部（９３）側の側面（９４）を成形するための型枠材（９２）を配置する、低く形成された段部（６０）が設けられていることを特徴とする、
溝部形成用コンクリート二次製品。
【請求項７】
段部（６０）の幅は、型枠材（９２）の厚さより幅広に形成されていることを特徴とする、
請求項６記載の溝部形成用コンクリート二次製品。
【発明の詳細な説明】
【０００１】
【発明の属する技術分野】
本発明は、コンクリート床面の溝部の施工方法、コンクリート床面の溝部の施工に使用する支持調整具及び溝部形成用コンクリート二次製品に関するものである。更に詳しくは、コンクリート建築物のベランダの床面等、コンクリート床面の排水溝等の溝部を施工する場合に、施工が容易かつ確実にできるようにしたものに関する。
【０００２】
【従来技術】
例えば、コンクリート建築物であるマンションのベランダの床面には、手摺り側に排水用の溝部（以下、排水溝という）が施工されている。
このような排水溝の施工は、排水溝の底面及び両側面となる面に、あらかじめ木材等でつくられた型枠材を配置して仮止めし、型枠材の外側にコンクリートを打設し、コンクリート固化後に型枠材を取り外し、あらためて排水溝の表面をモルタルで仕上げて通りを整え、更に水勾配をつけるという手順で行われていた。
【０００３】
【発明が解決しようとする課題】
しかしながら、上記した従来のコンクリート床面の排水溝部の施工方法には、次のような課題があった。
すなわち、上記作業工程において、型枠材は後の取り外し作業の容易性を考慮して、強固に固定されることはなく、通常は仮止めされている。
【０００４】
このため、最初に型枠材がある程度正確に位置決めされていても、コンクリートを打設するときのコンクリートの圧力で位置がずれたりして、結果的に排水溝部の側面の通りが真っ直ぐにならず、細かな手直しを必要としていた。
【０００５】
しかし、これでは作業の効率がきわめて悪く、特に大規模なマンションのベランダの施工においては、上記手直しに膨大な手間と時間がかかるので、早急な改善が望まれていた。
【０００６】
本発明の目的は、マンション等のコンクリート建築物のベランダの床面等、コンクリート床面の排水溝等の溝部を施工する場合に、施工が容易かつ確実にできるようにすることである。
【０００７】
【課題を解決するための手段】
上記課題を解決するために講じた本発明の手段は次のとおりである。
第１の発明にあっては、
溝部を構成する底面部と側面部を有する溝部形成用コンクリート二次製品を、溝部が形成される位置に固定し、コンクリート床面を形成するコンクリートを打設して一体化することにより、コンクリート床面の溝部を施工することを特徴とする、
コンクリート床面の溝部の施工方法である。
【０００８】
第２の発明にあっては、
溝部を構成する底面部と、手摺り施工部とは反対側に側面部を有する溝部形成用コンクリート二次製品を、溝部が形成される位置に支持具によって固定し、コンクリート二次製品に型枠材を設け、コンクリート床面を形成するコンクリートを打設して一体化し、型枠材を取り外してコンクリート床面の溝部を施工することを特徴とする、
コンクリート床面の溝部の施工方法である。
【０００９】
第３の発明にあっては、
コンクリート床面の溝部の施工に使用する支持調整具であって、
溝部を形成する溝部形成用コンクリート二次製品を載置または固定する手段と、
載置または固定された溝形成用コンクリート二次製品の高さまたは水平度を調整する手段と、
載置または固定された溝形成用コンクリート二次製品の直線度を調整する手段と、
を備えていることを特徴とする、
支持調整具である。
【００１０】
第４の発明にあっては、
コンクリート床面の溝部の施工に使用する支持調整具であって、
溝部を形成する溝形成用コンクリート二次製品を所要位置に載置または固定する位置決め部を有する載置部材と、
載置部材のうち手摺り施工部側を支持し、載置部材の高さの調整が可能な前部支持具と、
載置部材のうち手摺り施工部と反対側を支持し、載置部材の高さの調整が可能な後部支持具と、
載置部材と通り調整具を連結する連結部材と、
連結部材を介して載置部材を進退させる通り調整具と、
を備えており、
前部支持具と後部支持具のうち少なくとも一方及び通り調整具は、床スラブに固定する手段を備えていることを特徴とする、
支持調整具である。
【００１１】
第５の発明にあっては、
床スラブに固定する手段は、所要厚さの座部材を有し、座部材はコンクリートが固化し床スラブを取り外した後、下側から取り外し可能に構成されていることを特徴とする、
第４の発明に係る支持調整具である。
【００１２】
第６の発明にあっては、
コンクリート床面の溝部の施工に使用する溝部形成用コンクリート二次製品であって、
溝部を構成する底面部と底面部の一端側に設けてある側面部を有し、底面部の他端側には、溝部の手摺り施工部側の側面を成形するための型枠材を配置する、低く形成された段部が設けられていることを特徴とする、
溝部形成用コンクリート二次製品である。
【００１３】
第７の発明にあっては、
段部の幅は、型枠材の厚さより幅広に形成されていることを特徴とする、
第６の発明に係る溝部形成用コンクリート二次製品である。
【００１４】
（作用）
本発明に係るコンクリート床面の溝部の施工に使用する支持調整具と溝部形成用コンクリート二次製品は次のように作用する。
（１）所要数の支持調整具を道糸に合わせて床スラブに固定する。床スラブ上には補強用の鉄筋が配筋されている。
（２）溝形成用コンクリート二次製品を支持調整具の載置部材に位置決め部によって位置決めをして載置または固定する。
【００１５】
（３）支持調整具の前部支持具と後部支持具によって、載置部材の前後の高さを調整し、溝形成用コンクリート二次製品の高さまたは（及び）水平度を道糸に合わせて調整する。
（４）通り調整具によって連結部材を介し載置部材を進退させ、溝形成用コンクリート二次製品の水平方向の直線度（通り）を道糸に合わせて調整する。
【００１６】
（５）溝形成用コンクリート二次製品の段部に、溝部の手摺り施工部側の側面を成形する型枠材を配置して、固定手段で固定する。段部の幅は型枠材の厚さより幅広であるので、型枠材は位置決め部と接触しない。
（６）床スラブ上にコンクリートを打設する。コンクリートが固化すると溝形成用コンクリート二次製品と一体化する。
【００１７】
（７）型枠材と、床スラブを含む他の型枠を取り外す。型枠材は位置決め部と接触していないので、型枠材を取り外した後で位置決め部（多くは金属製）が側面部のコンクリート表面に表れることはない。
（８）通り調整具及び前部支持具、後部支持具に設けられており、床コンクリート下面に表れている座部材を取り外し、床コンクリート下面に凹部をつくる。
【００１８】
（９）凹部をモルタルで埋めて座部材の取付部（多くは金属製）がコンクリート表面に表れないようにする。
（１０）床コンクリートと一体化した溝形成用コンクリート二次製品の底面部にモルタルを塗って導水用の勾配を形成する。
【００１９】
【発明の実施の形態】
本発明を図面に示した実施の形態に基づき更に詳細に説明する。
図１は本発明に係る支持調整具の一実施の形態を示す斜視図、
図２は前部支持具の構造を示す一部切り欠き断面説明図、
図３は後部支持具の構造を示す一部切り欠き説明図、
図４は溝部形成用ブロックの構造を示す斜視図である。
【００２０】
支持調整具Ａは、載置部材１と、前部支持具２と、後部支持具３と、通り調整具４及び連結部材５によって構成されている。上記各部材及び支持具は、それぞれ鉄製（後部支持具３のキャップ３１を除く）であるが、強度が十分であれば、一部または全部をプラスチック等、他の材料で形成することもできる。
【００２１】
図１を参照して載置部材１の構造を説明する。
載置部材１は、細長い長方形の板体（鉄製）を切り込みや曲げ等によって加工したものである。載置部材１の前端部には、上方へ直角に曲げて前部位置決め片１０が設けてある。載置部材１の前端部寄りの下面側には、筒状の軸受体１１が固着されている
【００２２】
また、載置部材１の中間部（やや後部寄り）には、幅方向の中央部にコ字状に切り込みを入れ、更に残部分を上方へ直角に曲げて後部位置決め片１２が設けてある。前部位置決め片１０と後部位置決め片１２の間隔は、後述する溝形成用ブロックＢの幅と本質的に同じに（若干広く）設定されている。
【００２３】
載置部材１の後端部には、一方の側辺部から切り込みを入れ、更に後部側の残部分を上方へ直角に曲げて、後述する連結部材５の一端部を取り付ける取付片１３が設けてある。取付片１３の中央部には、連結部材５のネジ部５０を通す挿通孔１４（図５〜図７に図示）が設けてある。
また、取付片１３と後部位置決め片１２の間には、ネジ孔１５（図３に図示）が上下に貫通して形成してある。
【００２４】
載置部材１の前部下側には、前部支持具２が設けてある。図１及び図２を参照して前部支持具２の構造を説明する。
前部支持具２は、ほぼ長方形の板状の座部材２０を有している。座部材２０の四隅部には、釘着用の釘孔２１が設けてある。座部材２０の中央部には、部材を上方へ盛り上げ、かつ下面側にほぼ円錐台形状の空間部２２を形成して、下方から皿ネジ２４を挿通する挿通孔２３が設けてある。挿通孔２３の上面側の孔縁部は、ほぼ水平に仕上げてある。
【００２５】
座部材２０の中央部には、六角長ナット状の支柱体２５が、皿ネジ２４により固定されている。支柱体２５は、皿ネジ２４を挿通孔２３に下方から貫通させ、更にネジ孔２６にネジ込むことによって固定されている。
支柱体２５には、ネジ孔２６に上部側からネジ込んで、支持ボルト２７が取り付けてある。支持ボルト２７の上部には、ネジ部が設けられていない挿入部２８が設けられており、挿入部２８は軸受体１１の孔部に軸周方向に回転可能に挿入される。支持ボルト２７のネジ部には、ロックナット２９が螺合されている。
【００２６】
載置部材１の後部下側には、後部支持具３が設けてある。図１及び図３を参照して後部支持具３の構造を説明する。
後部支持具３は、上部にヘッド部を有する支持ボルト３０を有している。支持ボルト３０は、ネジ孔１５の上部側から貫通して螺合されており、下側先端部には、プラスチック製のキャップ３１が被せてある。また、支持ボルト３０のヘッド部と載置部材１の間には、ロックナット３２が螺合されている。
【００２７】
載置部材１の後方には、所要間隔をおいて通り調整具４が配置され、載置部材１と通り調整具４は、連結部材５によって連結されている。
図１及び後述する図５〜図７を参照して通り調整具４及び連結部材５の構造を説明する。
【００２８】
通り調整具４は、前部支持具２の座部材２０と同じ構造の座部材４０を有している。釘孔、空間部、挿通孔（何れも符号省略）も同様に設けてある。
座部材４０の中央部には、六角長ナット状で中央部で後方へ曲げた形状の支柱体４５が、前部支持具２の支柱体２５と同様に下側から皿ネジ（図示省略）により固定されている。
【００２９】
斜めになった支柱体４５の上端部には、中心部に挿通孔４６（図５〜図７に図示）が設けられた取付片４７が固着されている。
連結部材５は、後部側の端部にネジ部５１が設けられており、前部側の端部には長手方向と直角方向にネジ部５０が設けてある。
【００３０】
後部側のネジ部５１は取付片４７の挿通孔４６に挿通され、挿通されたネジ部５１には、取付片４７を挟む両側に調整ナット４８（後部側）とロックナット４９（前部側）が螺合してある。
また、連結部材５の前部側のネジ部５０は、載置部材１の取付片１３の挿通孔１４に挿通され、ナット５２（図１に図示）を螺合して止められている。
【００３１】
図４を参照して溝部形成用ブロックＢの構造を説明する。
溝部形成用コンクリート二次製品である溝部形成用ブロックＢは、所要長さで断面Ｌ字状に形成されている。溝部形成用ブロックＢの長さは、例えば１２００ｍｍであるが、これに限定するものではなく、長さや各部サイズの異なる複数の種類のものを設定することも可能である。
【００３２】
溝部形成用ブロックＢは、平板状の底面部６と、底面部６の一端側に直角に設けてある側面部７を有している。側面部７の先端部（上端部）の内側角部は丸められている。
底面部６の他端部の上面側には、やや低く（薄肉に）形成された段部６０が設けられている。段部６０には、後述する溝部の手摺り施工部側の側面を成形するための型枠材９２が配置される。また、段部６０の幅は、型枠材９２の厚さより幅広に形成されている。
【００３３】
（作　用）
図５はベランダの床面の排水溝部施工方法を示し、床スラブ上に支持調整具を取り付け、支持調整具に溝部形成用ブロックを載置した状態を示す断面説明図、図６はベランダの床面の排水溝部施工方法を示し、床スラブ上にコンクリートを打設して上面を仕上げ、固化後に床スラブ等の型枠を取り外し、更に前部支持具と通り調整具の座板を取り外した状態を示す断面説明図、
【００３４】
図７はベランダの床面の排水溝部施工方法を示し、排水溝部の底部に水勾配をつけるためにモルタルで仕上げ、更に前部支持具と通り調整具の座板を取り外した後の凹部にモルタルを埋めて仕上げた状態を示す断面説明図、
図８は施工されたベランダの構造を示す図７に対応した断面斜視説明図である。
図１ないし図８を参照して、本実施の形態に係る支持調整具及び溝部形成用コンクリート二次製品の作用及びコンクリート床面の溝部施工方法を説明する。
【００３５】
本実施の形態に係る支持調整具Ａと溝形成用ブロックＢは、次のように作用する。また、支持調整具Ａと溝形成用ブロックＢを使用したコンクリート製ベランダの排水溝の施工方法を併せて説明する。
【００３６】
図５を主に参照する。
（１）所要数の支持調整具Ａをベランダの長手方向（図５では奥行き方向）に道糸（図示省略）に合わせて（例えば、各支持調整具Ａの前部位置決め片１０等を基準にする）床スラブ９０に固定する。支持調整具Ａは、前部支持具２と通り調整具４は座部材２０、４０を釘着して固定される。後部支持具３は、下端部のキャップ３１を床スラブ９０の上面に載せる。なお、図示はしていないが、床スラブ９０の上部には補強用の鉄筋が配筋されている。
【００３７】
（２）所要数（必要数）の溝形成用ブロックＢを、支持調整具Ａの載置部材１に前部位置決め片１０と後部位置決め片１２間に嵌め込んで位置決めをし、長手方向に接合しながら載置固定する。なお、溝形成用ブロックＢを載置部材１に載せるとき、例えば溝形成用ブロックＢの長さが１２００ｍｍである場合、隣合う溝形成用ブロックＢの接合されている各端部を同じ支持調整具Ａの載置部材１に載せるようにし、更に各溝形成用ブロックＢの中間部分を別の支持調整具Ａの載置部材１に載せるようにする。これによると、溝形成用ブロックＢ一個あたり、ほぼ二台の支持調整具Ａで支持することができることになる。なお、使用される支持調整具Ａの数及び配置は適宜設定可能である。
【００３８】
（３）支持調整具Ａの前部支持具２と後部支持具３によって、載置部材１の前後の高さを調整し、溝形成用ブロックＢの高さ及び水平度を道糸に合わせて調整する。
（４）通り調整具４の調整ナット４８によって連結部材５を介し載置部材１を進退させ、溝形成用ブロックＢの水平方向の直線度（通り）を道糸に合わせて調整する。なお、予め道糸を基準に支持調整具Ａの位置を決めているので、通り調整具４による通りの調整は、ｍｍ単位であり、前部支持具２が固定されていても、載置部材１は多少の前後移動は可能である。
【００３９】
（５）溝形成用ブロックＢの段部に、溝部の手摺り施工部側の側面を成形する板状の型枠材９２を直角に立てる。また、床スラブ９０の先端辺部には、板状の外型枠材９１が直角に設けられる。型枠材９２と型枠材９１は、連結ロッド等の固定手段で互いに固定される。なお、型枠材９２は、段部６０の立ち上がり部に当接させてあり、しかも段部６０の幅は型枠材９２の厚さより幅広であるので、型枠材９２は載置部材１の前部位置決め片１０とは接触しない。
【００４０】
図６を主に参照する。
（６）床スラブ９０上に、各配筋や各支持調整具Ａを埋めるようにしてコンクリートを所定の高さまで打設する。コンクリートが固化すると、先端側に手摺りまたは手摺り施工部９３を有するベランダ９が形成される。また、コンクリートと各溝形成用ブロックＡは一体化する。
【００４１】
（７）型枠材９２と、床スラブ９０や型枠材９１を取り外す。なお、型枠材９２は、載置部材の前部位置決め片１０と接触していないので、間にコンクリートが入り込むため、型枠材９２を取り外した後で、鉄製の前部位置決め片１０が側面部９４のコンクリート表面に表れることはない。これにより、錆の発生を防止している。
（８）通り調整具４及び前部支持具２に設けられており、床コンクリート下面に表れている座部材２０、４０を皿ネジ２４をゆるめて釘ごと取り外す。そして、床コンクリート下面に凹部９５をつくる。
【００４２】
図７を主に参照する。
（９）各凹部９５をモルタル９６で埋めて座部材の取付部（多くは金属製）がコンクリート表面に表れないようにし、錆の発生を防止している。なお、後部支持具３のキャップ３１は、床コンクリート下面に僅かに表れるが、プラスチック製であるので錆は生じない。
（１０）床コンクリートと一体化した溝形成用ブロックＢの底面部６にモルタル６１を塗って導水用の勾配を形成する。モルタル６１を塗る必要があるのは、底面部６だけであり、溝形成用ブロックＢの側面部７はいうまでもなく、側面部９４の通りも仕上がっているので、仕上げの手間が省略または軽減できる。
なお、溝形成用ブロックＢの底面部自体があらかじめ傾斜させて成形されていれば、モルタルを塗らなくてもよい。
【００４３】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００４４】
【発明の効果】
本発明によれば、マンション等のコンクリート建築物のベランダの床面等、コンクリート床面の排水溝等の溝部を施工する場合に、予め溝部としてコンクリートで成形してある溝形成用コンクリート二次製品を打設された床コンクリートと一体化し、更には溝形成用コンクリート二次製品を支持調整具等によって通りと水平度を合わせて所定の位置に確実に固定できるので、溝部の手直し等の必要もなく、施工が容易かつ確実にできる。
【図面の簡単な説明】
【図１】本発明に係る支持調整具の一実施の形態を示す斜視図。
【図２】前部支持具の構造を示す一部切り欠き断面説明図。
【図３】後部支持具の構造を示す一部切り欠き説明図。
【図４】溝部形成用ブロックの構造を示す斜視図。
【図５】ベランダの床面の排水溝部施工方法を示し、床スラブ上に支持調整具を取り付け、支持調整具に溝部形成用ブロックを載置した状態を示す断面説明図。
【図６】ベランダの床面の排水溝部施工方法を示し、床スラブ上にコンクリートを打設して上面を仕上げ、固化後に床スラブ等の型枠を取り外し、更に前部支持具と通り調整具の座板を取り外した状態を示す断面説明図。
【図７】ベランダの床面の排水溝部施工方法を示し、排水溝部の底部に水勾配をつけるためにモルタルで仕上げ、更に前部支持具と通り調整具の座板を取り外した後の凹部にモルタルを埋めて仕上げた状態を示す断面説明図。
【図８】施工されたベランダの構造を示す図７に対応した断面斜視説明図。
【符号の説明】
Ａ　支持調整具
１　載置部材
１０　前部位置決め片
１１　軸受体
１２　後部位置決め片
１３　取付片
１４　挿通孔
１５　ネジ孔
２　前部支持具
２０　座部材
２１　釘孔
２２　空間部
２３　挿通孔
２４　皿ネジ
２５　支柱体
２６　ネジ孔
２７　支持ボルト
２８　挿入部
２９　ロックナット
３　後部支持具
３０　支持ボルト
３１　キャップ
３２　ロックナット
４　通り調整具
４０　座部材
４５　支柱体
４６　挿通孔
４７　取付片
４８　調整ナット
４９　ロックナット
５　連結部材
５０　ネジ部
５１　ネジ部
５２　ナット
Ｂ　溝部形成用ブロック
６　底面部
６０　段部
６１　モルタル
７　側面部
９　ベランダ
９０　床スラブ
９１　外型枠材
９２　型枠材
９３　手摺り施工部
９４　側面
９５　凹部
９６　モルタル
【図１】
2004044181.tif 000003
【図２】
2004044181.tif 000004
【図３】
2004044181.tif 000005
【図４】
2004044181.tif 000006
【図５】
2004044181.tif 000007
【図６】
2004044181.tif 000008
【図７】
2004044181.tif 000009
【図８】
2004044181.tif 000010